(57)【要約】      （修正有）【課題】高圧力高温度且つ短時間で極旨飯を炊く安全早炊き省エネ極旨エコ高圧力炊飯器を提供する。【解決手段】高圧力鍋上部周辺と高圧力鍋蓋の周辺に掛け止め部を設け前記高圧力鍋蓋を垂直自在開閉炊飯器本体蓋の中央に高圧力鍋蓋水平自在回転取り付け手段で取り付けて炊飯時のみ約３０度水平回転で高圧力鍋に掛け止め固定をして高圧力高温度で炊飯する。炊飯後は高圧力鍋蓋を水平回転約３０度戻して普通の炊飯器同様垂直自在開閉本体蓋のエコ高圧力炊飯器とする。【選択図】図１
2010148562.tif 000002
【特許請求の範囲】
【請求項１】
炊飯器本体ケース１ａ内に、上部周辺に高圧力鍋耐圧掛止４及び外側部に高圧力鍋取手２ａを設けた高圧力鍋２を設置し、前記炊飯器本体ケース１ａの後上部に炊飯器本体蓋垂直自在開閉ヒンジ１１を介して垂直自在開閉に設けた垂直自在開閉炊飯器本体蓋１ｂに、周辺に高圧力鍋蓋耐圧掛止５、中央に圧力調整手段９を、又側部に加圧時高圧力鍋蓋誤開防止手段７、加圧時高圧力鍋蓋誤開防止手段ピストン７ｂ、加圧時高圧力鍋蓋誤開防止手段安全ロック８、加圧表示棒７ａ、安全弁１０と外側部に高圧力鍋蓋取手３ａをそれぞれ設けた高圧力鍋蓋３を高圧力鍋蓋水平自在回転取付手段６で水平自在回転に取り付けて、前記高圧力鍋２にパッキン１３を挟んで水平方向に約３０度回転により掛け止め固定し高圧力、高温度で極旨飯を炊飯する事を特徴とするエコ高圧力炊飯器。
【請求項２】
前記炊飯器本体ケース１ａ内に、上部周辺に高圧力鍋耐圧掛止４ｈ及び外側部に前記高圧力鍋取手２ａを設けた高圧力鍋２ｈを設置し、前記炊飯器本体ケース１ａの後上部に前記炊飯器本体蓋垂直自在開閉ヒンジ１１を介して垂直自在開閉に設けた前記垂直自在開閉炊飯器本体蓋１ｂに、周辺に高圧力鍋蓋耐圧掛止５ｈ、中央に前記圧力調整手段９を、又側部に前記加圧時高圧力鍋蓋誤開防止手段７、前記加圧時高圧力鍋蓋誤開防止手段ピストン７ｂ，加圧時高圧力鍋蓋誤開防止手段安全ロック８ｈ、前記加圧表示棒７ａ、前記安全弁１０と外側部に前記高圧力鍋蓋取手３ａをそれぞれ設けた高圧力鍋蓋３ｈを前記高圧力鍋蓋水平自在回転取付手段６で水平自在回転に取り付けて、前記高圧力鍋２ｈに前記パッキン１３を挟んで水平方向に約３０度回転により掛け止め固定し高圧力、高温度で極旨飯を炊飯する事を特徴とする請求項１記載のエコ高圧力炊飯器
【発明の詳細な説明】
【技術分野】
【０００１】
従来の炊飯器同様に炊飯器本体ケースに、上部周辺に耐圧掛け止め部を設けた高圧力鍋を設置固定し、炊飯器本体ケース後上部に炊飯器本体蓋垂直自在開閉ヒンジを介して設けた垂直自在開閉炊飯器本体蓋に、周囲に耐圧掛け止め部を設けた高圧力鍋蓋を水平自在回転取り付け手段で水平自在回転するように取り付けて炊飯時のみ高圧力鍋蓋取手の水平移動により高圧力鍋蓋を約３０度水平回転して耐圧掛け止め固定し高圧力高温度で極旨ご飯を炊き、後は高圧力鍋蓋を約３０度水平回転で戻して保温状態とし、普通の炊飯器同様炊飯器本体蓋を垂直自在開閉でご飯をよそう事ができるエコ高圧力炊飯器に関するものである。
【背景技術】
【０００２】
従来の炊飯器には炊飯鍋内部に圧力をかけて炊飯するものがある（例えば、特許文献１参照）。
又、負圧常圧を繰り返して米に水分を浸透させてから加圧炊飯するものも有る（例えば、非特許文献１参照）。
しかし極旨飯を炊くに望ましい炊飯圧力（絶対圧２．４４気圧）、炊飯温度１２８℃まで上げる事ができない、高圧力に耐えられない構造である。
【特許文献１】特開２００８−０５５０８９号公報
【非特許文献１】「ＴＯＳＨＩＢＡ調理器具カタログ２００８」東芝ホームアプライアンス株式会社、２００８年ｐ．１．２．３．４．５．６
【０００３】
今やグルメブームで飯にも大変こだわるグルメ派が多く特に白ご飯のもっちり感、歯ごたえ、舌触り感、ご飯粒の艶、ご飯の旨み等でこだわりの謳い文句で市販圧力炊飯器が並んでいるショウルームの中から圧力の一番高いもの絶対圧１．４気圧（ゲージ圧０．４気圧）を購入して炊飯試食をしたら我が家の炊飯鍋の条件の低圧側絶対圧１．６８気圧（ゲージ圧０．６８気圧）で炊飯した飯より不味かった。
【０００４】
ちなみに我が家は通常圧力鍋の高圧側で炊飯をしているが炊飯圧力絶対圧２．４４気圧（ゲージ圧１．４４気圧）炊飯温度１２８℃の圧力鍋に付きっ切りで飯を炊いているので飯は市販のこだわり圧力炊飯器より遥かに旨いが付きっ切りでなければ炊飯ができないので大変不便である。
【０００５】
市販炊飯器の圧力（ゲージ圧）０．４気圧＜我が家の炊飯圧力（ゲージ圧）１．４４気圧約３．６倍である市販圧力炊飯器の飯の不味さは炊飯圧力、炊飯温度の低さにあった。
前記特許文献１及び非特許文献１は、構造上極旨飯炊飯適正圧力、適正温度まで上げられない欠点があった。
鍋径２１ｃｍの場合内部圧が絶対圧１．４気圧で大気圧が１気圧の時蓋と鍋に約１４０ｋｇの力が加わり（高地の低気圧地域ではこの力がまだ大きくなる）前記市販の圧力炊飯器のヒンジ及び蓋開き止め機構の限界である。
又絶対圧２．４４気圧で大気圧が１気圧の場合蓋と鍋に約５００ｋｇの力が加わる事となるので圧力鍋と圧力鍋蓋に本発明のような耐圧掛け止め構造が安全で最適である。
【発明の開示】
【発明が解決しようとする課題】
【０００６】
解決しようとする問題点は、旨い飯の炊飯は炊飯圧力と炊飯温度を上げれば可能であるが一般市販のこだわり圧力炊飯器や従来技術の構造では極旨炊飯に適する圧力及び温度まで上げられないのが現状で米粒のα化が進まず、一般市販米、特に古米等はぱさぱさのご飯となる。
【課題を解決するための手段】
【０００７】
本発明では、前記問題点を解決するために従来の市販圧力炊飯器のように鍋と蓋の間にパッキンを挟んで蓋を押さえ付けるだけとか従来技術のひ弱な掛け金で炊飯鍋と炊飯鍋蓋を止めるのではなく圧力鍋の上部周辺と圧力鍋蓋の周辺に耐圧掛止加工を六ヶ所づつ施し高い内部圧力（絶対圧２．４４気圧）に十分耐える安全な構造とし且つ容易に取り扱えるよう垂直自在開閉する前記垂直自在開閉炊飯器本体蓋１ｂの中央に前記高圧力鍋蓋３を本発明の特徴である前記高圧力鍋蓋水平自在回転取付手段６で取り付けし炊飯時は水平方向に約３０度回転耐圧掛け止めし、その他は水平方向に３０度回転戻し耐圧掛け止めを解除して普通の炊飯器同様に前記垂直自在開閉炊飯器本体蓋１ｂを垂直開閉してご飯をよそう構造とする。
【０００８】
前記高圧力鍋蓋水平自在回転取付手段６は内部に圧力調整手段錘弁９ａを設ける空間が有り、又前記高圧力鍋蓋３の取り付け状態も安定的な大径内空形となっていて高圧力鍋蓋水平自在回転取付手段止ねじ６ａはワンタッチねじ込みタイプにもできる。
【０００９】
又  前記高圧力鍋２の内部圧絶対圧２．４４気圧（ゲージ圧１．４４気圧）前記高圧力鍋蓋３と前記高圧力鍋２に加わる力約５００ｋｇを、前記高圧力鍋２の前記高圧力鍋耐圧掛止４と前記パッキン１３及び前記高圧力鍋蓋３の前記高圧力鍋蓋耐圧掛止５のみで受けとめ、 前記炊飯器本体ケース１ａと前記垂直自在開閉炊飯器本体蓋１ｂ、前記炊飯器本体ケース１ａの後上部及び前記垂直自在開閉炊飯器本体蓋１ｂの後部に設けた前記炊飯器本体蓋垂直自在開閉ヒンジ１１及び前記炊飯器本体ケース１ａの前上部と前記垂直自在開閉炊飯器本体蓋１ｂの前部に設けた前記炊飯器本体蓋開止機構（図示省略）には一切かからない構造である。
【発明の効果】
【００１０】
・  炊飯時鍋内圧力を絶対圧２．４４気圧（ゲージ圧１．４４気圧）炊飯温度を１２８℃
まで上げて炊飯米を沸騰攪拌させる為一時は前記圧力調整手段錘弁９ａから水蒸気を噴出させて炊飯熱源の加熱パワーコントローラで１２８℃の少下になるよう暫くコントロールして一定の条件を満たしたときに熱源を止めても炊飯状態が続き（鍋内温度は当分の間、大気中沸騰温度１００℃以上の状態が続くので米のα化が続く）短時間加熱で炊飯ができて省エネであり米粒一粒一粒に水の浸透も早く米粒の芯までα化されご飯粒の表面に光沢があり、舌触りが良く弾力が有り噛み応えが良く噛めば噛むほど口中に甘味が広がるもちもち極旨ご飯が炊ける。
２．現在市販されているこだわり圧力炊飯器より部品点数が少なく又鍋の材質にもあまりこだわらなくても量産できる材料でできるので低価格でできる。
３．安全面では歴史のある圧力鍋の耐圧掛け止め構造と同一方法なので不安は無い。
【００１１】
４．炊飯中に前記高圧力鍋２の底部に設けた高圧力鍋温度センサー（図示省略）が１００℃を感知したらその温度がしばらく続くよう炊飯熱源(図示省略)のパワーを加熱パワーコントローラ(図示省略)で制御してから停止すれば、焼き飯やカレーに適したご飯も炊け、もちもちご飯からぱらぱらご飯まで加熱パワーコントローラ(図示省略)のインプット情報のみで炊き分けができる高圧力高温度で一気に炊き上げる早炊きエコ高圧力炊飯器である。
【００１２】
もともと日本人の多くはもちもち感の白ご飯を好んでいるが飯粒に味付けをするカレーライスや焼き飯等にはぱらぱらご飯を好む者も居るので、本発明ではもちもち白御飯派と健康推進派には玄米ご飯を高圧力高温度で炊飯する、焼き飯やカレー派には過熱パワーコントローラで温度を制御することによって圧力も同時に制御でき、高圧力高温度炊飯のもちもちご飯から低圧力低温度炊飯のぱらぱらご飯まで炊き分ける事ができる。
又  筋肉や魚の骨まで柔らかくなる高圧力高温度煮込み料理もできる
【００１３】
炊飯中米粒の攪拌の為に一時沸騰させる時に水蒸気がわずか噴出するがその他は殆ど出ない段階で熱源を制御、又は停止するので炊飯水(米の吸収する水分だけなので)が少なくてよく、家屋内に水蒸気を発散しないので屋内湿度が上がらない。
気圧の低い高地等でも外気圧に全く関係なく加熱により発生する水蒸気の圧力で内部圧は規定の圧力まで上昇するので通常気圧の低地同様極旨ご飯が炊ける。
【発明を実施するための最良の形態】
【００１４】
以下本発明に係るエコ高圧力炊飯器を図に基づいて説明する。
【実施例】
【００１５】
先ず図1は、高圧力高温度で極旨ご飯を炊くエコ高圧力炊飯器の正面図である。
上部が前記垂直自在開閉炊飯器本体蓋１ｂ、下部が前記炊飯器本体ケース１ａで前記高圧力鍋蓋取手３ａが前記高圧力鍋取手２ａと同位置（保温位置）で前記加圧表示棒７ａが下がっていれば炊飯器本体蓋開きボタン１２を押すと前記炊飯器本体蓋開止機構（図示省略）が解除され前記垂直自在開閉炊飯器本体蓋１ｂが垂直方向に開く。
【００１６】
ここで前記高圧力鍋２に適量の米と水を入れて前記炊飯器本体ケース１ａ内に設置し前記垂直自在開閉炊飯器本体蓋１ｂを前記炊飯器本体蓋開止機構が掛かるまで閉じて前記高圧力鍋蓋取手３ａを高圧力鍋蓋取手炊飯時位置３ｂの位置まで水平移動（前記高圧力鍋蓋３を約３０度水平回転する、前記高圧力鍋２の前記高圧力鍋耐圧掛止４に前記高圧力鍋蓋３の前記高圧力鍋蓋耐圧掛止５が耐圧掛止状態となる）して電源を印加すれば炊飯状態となり一定の時間経過後に前記高圧力鍋２内部の圧力及び温度は徐々に上昇して前記加圧時高圧力鍋蓋誤開防止手段ピストン７ｂが前記高圧力鍋２内の圧力に押し上げられると同時に前記加圧表示棒７ａが前記垂直自在開閉炊飯器本体蓋１ｂの上に突き出し、前記加圧時高圧力鍋蓋誤開防止手段安全ロック８が前記高圧力鍋２の前記高圧力鍋耐圧掛止４に掛かり前記高圧力鍋蓋３及び前記垂直自在開閉炊飯器本体蓋１ｂは絶対開かない状態となる。
【００１７】
さらに前記高圧力鍋２内部は高圧力高温度となり圧力は絶対圧２，４４気圧温度は１２８℃まで上昇すると前記高圧力鍋蓋３の中央に設けた前記圧力調整手段錘弁９ａが揺れて水蒸気が大気中へ噴出すると共に前記高圧力鍋２内部が沸騰するので米粒が攪拌されると同時に過熱パワーコントローラ（図示省略）が炊飯熱源（図示省略）への供給電源を前記高圧力鍋２の温度が１２８℃の少下温度が続くよう暫くコントロールしてから停止する。
【００１８】
供給電源を停止してからも当分の間前記高圧力鍋２内部は高圧力高温度（大気中の沸騰温度１００℃を遥かに超えた炊飯状態）が続き、徐々に圧力及び温度が低下して圧力が大気圧と同じになると前記加圧表示棒７ａが重力で下がり前記加圧時高圧力鍋蓋誤開防止手段安全ロック８が前記高圧力鍋２の前記高圧力鍋耐圧掛止４から外れ前記高圧力鍋２内部は蒸らし状態となり蒸らしが暫く続いて炊飯完了となる。
【００１９】
図２はエコ高圧力炊飯器の右側面図である、図３はエコ高圧力炊飯器の上面図、図４は図１及び図２のａ−ａ部を上から見た（請求項１）図である、図５は図１及び図２のｂ−ｂ部を下から見た（請求項１）図である、図６は図１及び図２のａ−ａ部を上から見た（請求項２）図である、図７は図１及び図２のｂ−ｂ部を下から見た（請求項２）図である、図８は図３のｇ−ｇ部（請求項１）の一部断面拡大図である、図９は図３のｇ−ｇ部（請求項２）の一部断面拡大図である、
【００２０】
図６図７図９は請求項２記載の図であるが、請求項２では請求項１記載の前記高圧力鍋２の前記高圧力鍋耐圧掛止４（外向き）と前記高圧力鍋蓋３の前記高圧力鍋蓋耐圧掛止５（中向き）の構造が、前記高圧力鍋２ｈの前記高圧力鍋耐圧掛止４ｈ（中向き）と前記高圧力鍋蓋３ｈの前記高圧力鍋蓋耐圧掛止５ｈ（外向き）の形状方向が逆向き構造となっているのみでその他は同じなので説明を省略する。
【００２１】
前記高圧力鍋２、前記高圧力鍋２ｈは、異種金属を重ね合わせる事で熱拡散性が向上し、又表面のステンレス材は美観、衛生的と保温性に優れる等で有利なステンレス+アルミニュウム+ステンレスのクラッド材とし、前記高圧力鍋蓋３、前記高圧力鍋蓋３ｈは美観、衛生的と保温性に優れるステンレス材とする。
過熱方式が電磁誘導過熱方式の場合は前記クラッド材のステンレス材を電磁誘導加熱適応ステンレス材とする、又前記炊飯器本体ケース１ａ、前記垂直自在開閉炊飯器本体蓋１ｂは耐熱樹脂とする、前記パッキン１３はシリコンゴムとし本図形状で内圧が上がれば上がるほど気密性が向上する。
【００２２】
前記実施例で、前記高圧力鍋２、前記高圧力鍋２ｈの材料をステンレスとアルミニュウムのクラッド材、前記高圧力鍋蓋３、前記高圧力鍋蓋３ｈの材料をステンレス材、前記炊飯器本体ケース１ａ、前記垂直自在開閉炊飯器本体蓋１ｂを耐熱樹脂としている事や前記高圧力鍋蓋３、前記高圧力鍋蓋３ｈの耐圧掛止の為の水平回転を手動としている事、前記高圧力鍋２と前記高圧力鍋蓋３及び前記高圧力鍋２ｈと前記高圧力鍋蓋３ｈの各耐圧掛け止めの数を６カ所としているがこれに限定するものではない。
【図面の簡単な説明】
【００２３】
【図１】エコ高圧力炊飯器の正面図
【図２】エコ高圧力炊飯器の側面図
【図３】エコ高圧力炊飯器の上面図
【図４】第一図及び第二図のａ−ａ部の開放上面図である（請求項１記載）
【図５】第一図及び第ニ図のｂ−ｂ部の開放下面図である（請求項１記載）
【図６】第一図及び第二図のａ−ａ部の開放上面図である（請求項２記載）
【図７】第一図及び第二図のｂ−ｂ部の開放下面図である（請求項２記載）
【図８】第三図のｇ−ｇ部断面一部拡大図である（請求項１記載）
【図９】第三図のｇ−ｇ部断面一部拡大図である（請求項２記載）炊飯熱源、保温熱源、垂直自在開閉炊飯器本体蓋開きバネ及びオイルダンパー、炊飯器本体蓋開止機構、高圧力鍋温度センサー、加熱パワーコントローラの図示を省略する
【符号の説明】
【００２４】
１ａ−炊飯器本体ケース
１ｂ−垂直自在開閉炊飯器本体蓋
２――高圧力鍋
２ａ−高圧力鍋取手
２ｈ−高圧力鍋  
３――高圧力鍋蓋
３ａ−高圧力鍋蓋取手
３ｂ−高圧力鍋蓋取手炊飯時位置
３ｈ−高圧力鍋蓋
４――高圧力鍋耐圧掛止
４ｈ−高圧力鍋耐圧掛止
５――高圧力鍋蓋耐圧掛止
５ｈ−高圧力鍋蓋耐圧掛止
６――高圧力鍋蓋水平自在回転取付手段
６ａ−高圧力鍋蓋水平自在回転取付手段止ねじ
７――加圧時高圧力鍋蓋誤開防止手段
７ａ−加圧表示棒
７ｂ−加圧時高圧力鍋蓋誤開防止手段ピストン
８――加圧時高圧力鍋蓋誤開防止手段安全ロック
８ｈ−加圧時高圧力鍋蓋誤開防止手段安全ロック
９――圧力調整手段
９ａ−圧力調整手段錘弁
１０−安全弁
１１−炊飯器本体蓋垂直自在開閉ヒンジ
１２−炊飯器本体蓋開きボタン
１３−パッキン
１４−安全弁作動時圧力開放蓋
１５−操作パネル
【図１】
2010148562.tif 000003
【図２】
2010148562.tif 000004
【図３】
2010148562.tif 000005
【図４】
2010148562.tif 000006
【図５】
2010148562.tif 000007
【図６】
2010148562.tif 000008
【図７】
2010148562.tif 000009
【図８】
2010148562.tif 000010
【図９】
2010148562.tif 000011
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
炊飯器本体ケース１ａ内に、上部周辺に外向高圧力鍋耐圧掛止４及び外側部に高圧力鍋取手２ａを設けた高圧力鍋２を設置し、前記炊飯器本体ケース１ａの後上部に炊飯器本体蓋垂直自在開閉ヒンジ１１を介して垂直自在開閉に設けた垂直自在開閉炊飯器本体蓋１ｂに、周辺に内向高圧力鍋蓋耐圧掛止５、中央に圧力調整手段９を、又側部に加圧時高圧力鍋蓋誤開防止手段ピストンと加圧表示棒及び加圧時高圧力鍋蓋誤開防止手段安全ロックからなる、高圧力鍋蓋３と前記高圧力鍋２内部の圧力の上昇とともに、その上昇圧力によって加圧時高圧力鍋蓋誤開防止手段ピストン７ｂ及び加圧表示棒７ａが押し上げられ、それと連動して加圧時高圧力鍋蓋誤開防止手段安全ロック８が、前記高圧力鍋２の前記外向高圧力鍋耐圧掛止４に掛かり前記高圧力鍋蓋３は解除しなくなる、加圧時高圧力鍋蓋誤開防止手段７、加圧時高圧力鍋蓋誤開防止手段ピストン７ｂ、加圧表示棒７ａ、前記加圧時高圧力鍋蓋誤開防止手段安全ロック８及び、前記圧力調整手段９に不具合が生じ、前記高圧力鍋蓋３と前記高圧力鍋２内部の圧力が異常に上昇した場合に作動して前記高圧力鍋蓋３と前記高圧力鍋２内部の圧力を外部に放出する安全弁１０と、外側部に高圧力鍋蓋取手３ａをそれぞれ設けた前記高圧力鍋蓋３を、高圧力鍋蓋水平自在回転取付手段６で前記垂直自在開閉炊飯器本体蓋１ｂに水平自在回転に取り付けて、前記高圧力鍋蓋３と前記高圧力鍋２にパッキン１３を挟んで、前記高圧力鍋蓋３を取り付けた前記垂直自在開閉炊飯器本体蓋１ｂを閉じて、前記高圧力鍋蓋取手３ａで前記高圧力鍋蓋３を水平方向に３０度回転により掛け止め固定し、高圧力、高温度で極旨飯を炊飯する事を特徴とするエコ高圧力炊飯器。
【請求項２】
前記炊飯器本体ケース１ａ内に、上部周辺に高圧力鍋蓋の開閉時に水滴が外部に垂れない内向高圧力鍋耐圧掛止４ｈ及び外側部に前記高圧力鍋取手２ａを設けた高圧力鍋２ｈを設置し、前記炊飯器本体ケース１ａの後上部に前記炊飯器本体蓋垂直自在開閉ヒンジ１１を介して垂直自在開閉に設けた前記垂直自在開閉炊飯器本体蓋１ｂに、周辺に外向高圧力鍋蓋耐圧掛止５ｈ、中央に前記圧力調整手段９を、又側部に前記加圧時高圧力鍋蓋誤開防止手段ピストンと前記加圧表示棒及び加圧時高圧力鍋蓋誤開防止手段安全ロックからなる、高圧力鍋蓋３ｈと前記高圧力鍋２ｈ内部の圧力の上昇とともに、その上昇圧力によって前記加圧時高圧力鍋蓋誤開防止手段ピストン７ｂ及び前記加圧表示棒７ａが押し上げられ、それと連動して加圧時高圧力鍋蓋誤開防止手段安全ロック８ｈが、前記高圧力鍋２ｈの前記内向高圧力鍋耐圧掛止４ｈに掛かり前記高圧力鍋蓋３ｈは解除しなくなる、前記加圧時高圧力鍋蓋誤開防止手段７、前記加圧時高圧力鍋蓋誤開防止手段ピストン７ｂ、前記加圧表示棒７ａ、前記加圧時高圧力鍋蓋誤開防止手段安全ロック８ｈ及び、前記圧力調整手段９に不具合が生じ、前記高圧力鍋蓋３ｈと前記高圧力鍋２ｈ内部の圧力が異常に上昇した場合に作動して前記高圧力鍋蓋３ｈと前記高圧力鍋２ｈ内部の圧力を外部に放出する前記安全弁１０と、外側部に前記高圧力鍋蓋取手３ａをそれぞれ設けた高圧力鍋蓋３ｈを、前記高圧力鍋蓋水平自在回転取付手段６で前記垂直自在開閉炊飯器本体蓋１ｂに水平自在回転に取り付けて、前記高圧力鍋蓋３ｈと前記高圧力鍋２ｈに前記パッキン１３を挟んで、前記高圧力鍋蓋３ｈを取り付けた前記垂直自在開閉炊飯器本体蓋１ｂを閉じて、前記高圧力鍋蓋取手３ａで前記高圧力鍋蓋３ｈを水平方向に３０度回転により掛け止め固定し高圧力、高温度で極旨飯を炊飯する事を特徴とする請求項１記載のエコ高圧力炊飯器
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
炊飯器本体ケース１ａ内に、上部周辺に外向高圧力鍋耐圧掛止４及び外側部に高圧力鍋取手２ａを設けた高圧力鍋２を設置し、前記炊飯器本体ケース１ａの後上部に炊飯器本体蓋垂直自在開閉ヒンジ１１を介して垂直自在開閉に設けた垂直自在開閉炊飯器本体蓋１ｂに、周辺に内向高圧力鍋蓋耐圧掛止５、中央に圧力調整手段９を、又側部に加圧時高圧力鍋蓋誤開防止手段ピストンと加圧表示棒及び加圧時高圧力鍋蓋誤開防止手段安全ロックからなる、高圧力鍋蓋３と前記高圧力鍋２内部の圧力の上昇とともに、その上昇圧力によって加圧時高圧力鍋蓋誤開防止手段ピストン７ｂ及び加圧表示棒７ａが押し上げられ、それと連動して加圧時高圧力鍋蓋誤開防止手段安全ロック８が、前記高圧力鍋２の前記外向高圧力鍋耐圧掛止４に掛かり前記高圧力鍋蓋３は解除しなくなる、加圧時高圧力鍋蓋誤開防止手段７、加圧時高圧力鍋蓋誤開防止手段ピストン７ｂ、加圧表示棒７ａ、前記加圧時高圧力鍋蓋誤開防止手段安全ロック８及び、前記圧力調整手段９に不具合が生じ、前記高圧力鍋蓋３と前記高圧力鍋２内部の圧力が異常に上昇した場合に作動して前記高圧力鍋蓋３と前記高圧力鍋２内部の圧力を外部に放出する安全弁１０と、外側部に高圧力鍋蓋取手３ａをそれぞれ設けた前記高圧力鍋蓋３を、高圧力鍋蓋水平自在回転取付手段６で前記垂直自在開閉炊飯器本体蓋１ｂに水平自在回転に取り付けて、前記高圧力鍋蓋３と前記高圧力鍋２にパッキン１３を挟んで、前記高圧力鍋蓋３を取り付けた前記垂直自在開閉炊飯器本体蓋１ｂを閉じて、前記高圧力鍋蓋取手３ａで前記高圧力鍋蓋３を水平方向に３０度回転により掛け止め固定し、高圧力、高温度で極旨飯を炊飯する事を特徴とするエコ高圧力炊飯器。
【請求項２】
炊飯器本体ケース１ａ内に、上部周辺に高圧力鍋蓋の開閉時に水滴が外部に垂れない内向高圧力鍋耐圧掛止４ｈ及び外側部に高圧力鍋取手２ａを設けた高圧力鍋２ｈを設置し、前記炊飯器本体ケース１ａの後上部に炊飯器本体蓋垂直自在開閉ヒンジ１１を介して垂直自在開閉に設けた垂直自在開閉炊飯器本体蓋１ｂに、周辺に外向高圧力鍋蓋耐圧掛止５ｈ、中央に圧力調整手段９を、又側部に加圧時高圧力鍋蓋誤開防止手段ピストンと加圧表示棒及び加圧時高圧力鍋蓋誤開防止手段安全ロックからなる、高圧力鍋蓋３ｈと前記高圧力鍋２ｈ内部の圧力の上昇とともに、その上昇圧力によって前記加圧時高圧力鍋蓋誤開防止手段ピストン７ｂ及び前記加圧表示棒７ａが押し上げられ、それと連動して加圧時高圧力鍋蓋誤開防止手段安全ロック８ｈが、前記高圧力鍋２ｈの前記内向高圧力鍋耐圧掛止４ｈに掛かり前記高圧力鍋蓋３ｈは解除しなくなる、加圧時高圧力鍋蓋誤開防止手段７、前記加圧時高圧力鍋蓋誤開防止手段ピストン７ｂ、前記加圧表示棒７ａ、前記加圧時高圧力鍋蓋誤開防止手段安全ロック８ｈ及び、前記圧力調整手段９に不具合が生じ、前記高圧力鍋蓋３ｈと前記高圧力鍋２ｈ内部の圧力が異常に上昇した場合に作動して前記高圧力鍋蓋３ｈと前記高圧力鍋２ｈ内部の圧力を外部に放出する安全弁１０と、外側部に高圧力鍋蓋取手３ａをそれぞれ設けた高圧力鍋蓋３ｈを、高圧力鍋蓋水平自在回転取付手段６で前記垂直自在開閉炊飯器本体蓋１ｂに水平自在回転に取り付けて、前記高圧力鍋蓋３ｈと前記高圧力鍋２ｈにパッキン１３を挟んで、前記高圧力鍋蓋３ｈを取り付けた前記垂直自在開閉炊飯器本体蓋１ｂを閉じて、前記高圧力鍋蓋取手３ａで前記高圧力鍋蓋３ｈを水平方向に３０度回転により掛け止め固定し高圧力、高温度で極旨飯を炊飯する事を特徴とするエコ高圧力炊飯器
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
炊飯器本体ケース１ａ内に、上部周辺に外向高圧力鍋耐圧掛止４及び外側部に高圧力鍋取手２ａを設けた高圧力鍋２を設置し、前記炊飯器本体ケース１ａの後上部に炊飯器本体蓋垂直自在開閉ヒンジ１１を介して垂直自在開閉に設けた垂直自在開閉炊飯器本体蓋１ｂに、周辺に内向高圧力鍋蓋耐圧掛止５、中央に圧力調整手段９を、又側部に加圧時高圧力鍋蓋誤開防止手段ピストンと加圧表示棒及び加圧時高圧力鍋蓋誤開防止手段安全ロックからなる、高圧力鍋蓋３と前記高圧力鍋２内部の圧力の上昇とともに、その上昇圧力によって加圧時高圧力鍋蓋誤開防止手段ピストン７ｂ及び加圧表示棒７ａが押し上げられ、それと連動して加圧時高圧力鍋蓋誤開防止手段安全ロック８が、前記高圧力鍋２の前記外向高圧力鍋耐圧掛止４に掛かり前記高圧力鍋蓋３は解除しなくなる、加圧時高圧力鍋蓋誤開防止手段７、加圧時高圧力鍋蓋誤開防止手段ピストン７ｂ、加圧表示棒７ａ、前記加圧時高圧力鍋蓋誤開防止手段安全ロック８及び、前記圧力調整手段９に不具合が生じ、前記高圧力鍋蓋３と前記高圧力鍋２内部の圧力が異常に上昇した場合に作動して前記高圧力鍋蓋３と前記高圧力鍋２内部の圧力を外部に放出する安全弁１０と、外側部に高圧力鍋蓋取手３ａをそれぞれ設けた前記高圧力鍋蓋３を、高圧力鍋蓋水平自在回転取付手段６で前記垂直自在開閉炊飯器本体蓋１ｂに水平自在回転に取り付けて、前記高圧力鍋蓋３と前記高圧力鍋２にパッキン１３を挟んで、前記高圧力鍋蓋３を取り付けた前記垂直自在開閉炊飯器本体蓋１ｂを閉じて、前記高圧力鍋蓋取手３ａで前記高圧力鍋蓋３を水平方向に約３０度回転により掛け止め固定し、高圧力、高温度で極旨飯を炊飯する事を特徴とするエコ高圧力炊飯器。
【請求項２】
炊飯器本体ケース１ａ内に、上部周辺に高圧力鍋蓋の開閉時に水滴が外部に垂れない内向高圧力鍋耐圧掛止４ｈ及び外側部に高圧力鍋取手２ａを設けた高圧力鍋２ｈを設置し、前記炊飯器本体ケース１ａの後上部に炊飯器本体蓋垂直自在開閉ヒンジ１１を介して垂直自在開閉に設けた垂直自在開閉炊飯器本体蓋１ｂに、周辺に外向高圧力鍋蓋耐圧掛止５ｈ、中央に圧力調整手段９を、又側部に加圧時高圧力鍋蓋誤開防止手段ピストンと加圧表示棒及び加圧時高圧力鍋蓋誤開防止手段安全ロックからなる、高圧力鍋蓋３ｈと前記高圧力鍋２ｈ内部の圧力の上昇とともに、その上昇圧力によって前記加圧時高圧力鍋蓋誤開防止手段ピストン７ｂ及び前記加圧表示棒７ａが押し上げられ、それと連動して加圧時高圧力鍋蓋誤開防止手段安全ロック８ｈが、前記高圧力鍋２ｈの前記内向高圧力鍋耐圧掛止４ｈに掛かり前記高圧力鍋蓋３ｈは解除しなくなる、加圧時高圧力鍋蓋誤開防止手段７、前記加圧時高圧力鍋蓋誤開防止手段ピストン７ｂ、前記加圧表示棒７ａ、前記加圧時高圧力鍋蓋誤開防止手段安全ロック８ｈ及び、前記圧力調整手段９に不具合が生じ、前記高圧力鍋蓋３ｈと前記高圧力鍋２ｈ内部の圧力が異常に上昇した場合に作動して前記高圧力鍋蓋３ｈと前記高圧力鍋２ｈ内部の圧力を外部に放出する安全弁１０と、外側部に高圧力鍋蓋取手３ａをそれぞれ設けた高圧力鍋蓋３ｈを、高圧力鍋蓋水平自在回転取付手段６で前記垂直自在開閉炊飯器本体蓋１ｂに水平自在回転に取り付けて、前記高圧力鍋蓋３ｈと前記高圧力鍋２ｈにパッキン１３を挟んで、前記高圧力鍋蓋３ｈを取り付けた前記垂直自在開閉炊飯器本体蓋１ｂを閉じて、前記高圧力鍋蓋取手３ａで前記高圧力鍋蓋３ｈを水平方向に約３０度回転により掛け止め固定し高圧力、高温度で極旨飯を炊飯する事を特徴とするエコ高圧力炊飯器